(57)【要約】【課題】  面状光源及び液晶表示装置において、ＬＥＤ光源を直下に配した導光板を複数並べても隣接する側端面間の隙間における輝度低下を抑制し、見栄えを改善すること。【解決手段】  光軸を直上方向に向けたＬＥＤ光源と、該ＬＥＤ光源を直下に配しＬＥＤ光源から入射され導光した光を光路変換して上面である主面３ａ側から面状に出射する導光板３と、を備えた複数のライトユニットが、互いに隣接する導光板３の側端面３ｂが、主面３ａに対して傾斜しており、導光した光を対向方向に光を出射可能である。【選択図】  図２
2010102905.tif 000002
【特許請求の範囲】
【請求項１】
光軸を直上方向に向けた光源と、
該光源を直下に配し前記光源から入射され導光した光を光路変換して上面である主面側から面状に出射する導光板と、を備えた複数のライトユニットが、互いに前記導光板を隣接状態にして複数列並べられて構成された面状光源であって、
互いに隣接する前記導光板の側端面が、前記主面に対して傾斜しており、導光した光を対向方向に光を出射可能であることを特徴とする面状光源。
【請求項２】
請求項１に記載の面状光源において、
前記導光板の主面であって前記光源の直上に、該光源の光軸に向かって漸次深く形成されて表面が傾斜面となった反射用凹部が形成されていることを特徴とする面状光源。
【請求項３】
請求項１又は２に記載の面状光源において、
前記導光板の下面に、内部を導光する光を前記主面側に反射、屈折又は拡散させる微細光学形状部が形成されていることを特徴とする面状光源。
【請求項４】
請求項１から３のいずれか一項に記載の面状光源において、
前記導光板の下面に、前記光源を収納する収納用凹部が形成され、
前記光源が、前記収納用凹部内に設置されていることを特徴とする面状光源。
【請求項５】
請求項１から４のいずれか一項に記載の面状光源において、
前記導光板が、正方形状とされていると共に複数の縦列及び横列からなるマトリクス状に配置されていることを特徴とする面状光源。
【請求項６】
液晶表示パネルと、
該液晶表示パネルの裏面側に配された請求項１から５のいずれか一項に記載の面状光源と、を備えていることを特徴とする液晶表示装置。
【発明の詳細な説明】
【技術分野】
【０００１】
本発明は、液晶表示パネルなどを照明する面状光源及びこれを備えた液晶表示装置に関する。
【背景技術】
【０００２】
薄型テレビジョン装置や薄型モニター等の大型ディスプレイには、画像表示のための液晶表示装置が広く採用されている。この液晶表示装置には、液晶表示パネルの裏面側から光を照射して表示画面の輝度を高めるバックライトユニットが用いられている。
上記バックライトユニットでは、導光板と、該導光板の側端面に配置させたＬＥＤ等の光源と、を備え、光源からの光を導光して主面全体から液晶表示パネルに向けて出射させている。
【０００３】
近年、液晶テレビジョン装置の大型化に伴って、その軽量化や薄型化がさらに要望されているが、バックライト方式では混色性や輝度ムラが厚みと反比例の関係となり、薄型化が困難であった。また、サイドエッジ面に光源を配した導光板を用いたバックライトユニットであって、大型の導光板を作製する方法として射出成形方式を採用した場合、大面積でかつ薄型のものを作製する際に、形状全体に樹脂が転写、充填され難いという限界があった。また、樹脂を十分に充填するためには、成型機を大型化し、射出圧力を上げることで解決される場合もあるが、大型の成型機は設備費用の多大なコストがかかるため、製品コスト的に採用が難しい。
【０００４】
このため、従来、例えば特許文献１には、互いに隣接状態に複数並べられた矩形平板状の導光板と、各導光板の中央部下方に設置され上方に向けて光を出射するＬＥＤ光源と、を備えた照明装置が提案されている。この照明装置の各導光板には、ＬＥＤ光源の直上の中央部に内側に凸形状の光入射プリズムが形成されており、下方から入射されたＬＥＤ光源からの光を光入射プリズムの反射面で反射することで導光板内部に導光させている。
【０００５】
【特許文献１】特開２００６−１６４６２５号公報（図１，図２）
【発明の開示】
【発明が解決しようとする課題】
【０００６】
しかしながら、上記従来の技術には、以下の課題が残されている。
従来、導光板を隣接させて複数配列させる際に、導光板同士を近接させて配置するが、実装上の固定方法、組み付け誤差、材厚及び熱膨張等を考慮して隣接する導光板の間隔を一定のクリアランスに設定して互いに端面を突き合わせる必要がある。この際、特許文献１に記載の技術のように、隣接する導光板の側端面同士が、主面に対して垂直な面とされていると、内部を導光される光が垂直な端面で内側に反射されて端面から主面側外部に出射され難いため、隣接する側端面間の隙間が暗部となる不都合があった。このため、隣接する導光板の間に線状の輝度低下部分が発生し、見栄えが悪くなるという不都合があった。
【０００７】
本発明は、前述の課題に鑑みてなされたもので、ＬＥＤ光源を直下に配した導光板を複数並べても隣接する側端面間の隙間における輝度低下を抑制し、見栄えを改善することができる面状光源及び液晶表示装置を提供することを目的とする。
【課題を解決するための手段】
【０００８】
本発明は、前記課題を解決するために以下の構成を採用した。すなわち、本発明の面状光源は、光軸を直上方向に向けた光源と、該光源を直下に配し前記光源から入射され導光した光を光路変換して上面である主面側から面状に出射する導光板と、を備えた複数のライトユニットが、互いに前記導光板を隣接状態にして複数列並べられて構成された面状光源であって、互いに隣接する前記導光板の側端面が、前記主面に対して傾斜しており、導光した光を対向方向に光を出射可能であることを特徴とする。
【０００９】
この面状光源では、互いに隣接する導光板の側端面が、主面に対して傾斜しており、導光した光を対向方向に光を出射可能であるので、側端面から対向方向に向けて光が斜めに出射され、側端面同士の隙間における輝度が向上する。したがって、隣接する側端面近傍の輝度が補正されて輝度低下が抑制され、全体の見栄えが改善される。また、導光板間の輝度が向上するので、導光板同士の間隔を従来よりも広く設定することができ、固定方法、組み付け誤差、材厚、熱膨張等を考慮した余裕のある設計が可能になる。
【００１０】
また、本発明の面状光源は、前記導光板の主面であって前記光源の直上に、該光源の光軸に向かって漸次深く形成されて表面が傾斜面となった反射用凹部が形成されていることを特徴とする。すなわち、この面状光源では、導光板の主面であって光源の直上に、光源の光軸に向かって漸次深く形成されて表面が傾斜面となった反射用凹部が形成されているので、光源から直上に出射されて導光板内に入射された光が直上の反射用凹部の傾斜面で反射されて光路が側端面側に向けて変更される。したがって、導光板直下から入射された光を反射用凹部で周囲に反射することで、光を周囲に広げて導光板内を導光させ、光源直上のいわゆるホットスポットの発生を抑制すると共に、輝度均一性を向上させることができる。
【００１１】
また、本発明の面状光源は、前記導光板の下面に、内部を導光される光を前記主面側に反射、屈折又は拡散させる微細光学形状部が形成されていることを特徴とする。すなわち、この面状光源では、導光板の下面に、内部を導光される光を主面側に反射、屈折又は拡散させる微細光学形状部が形成されているので、微細光学形状部により下面側から外部への光の出射を抑制すると共に内部を導波される光を効率的に主面側に導いて、全体の輝度を向上させることができる。
【００１２】
また、本発明の面状光源は、前記導光板の下面に、前記光源を収納する収納用凹部が形成され、前記光源が、前記収納用凹部内に設置されていることを特徴とする。すなわち、この面状光源では、導光板の下面に形成された収納用凹部内に光源が設置されているので、少なくとも光源の高さ分だけ全体の厚さを薄くすることが可能になると共に、導光板を下部の反射シート等に直接実装することが可能になる。また、光源の直上方向だけでなく、周囲に出射される光も効率的に収納用凹部から導光板内に入射可能になり、輝度の向上を図ることができる。
【００１３】
また、本発明の面状光源は、前記導光板が、正方形状とされていると共に複数の縦列及び横列からなるマトリクス状に配置されていることを特徴とする。すなわち、この面状光源では、導光板が、正方形状とされていると共に複数の縦列及び横列からなるマトリクス状に配置されているので、導光板別に光源を部分駆動する部分輝度コントロールによって、いわゆるローカルディミングを容易に具現させることができる。例えば、ローカルディミングとして、液晶表示パネルに表示される画像の輝度やコントラスト等に応じて、バックライトの輝度を制御し、液晶表示パネルに入力される画像データに基づいてバックライトの輝度を導光板毎に場所的及び時間的に制御して明るさを調整することで、消費電力の低減及びコントラストや動画追従性等を向上させることが可能になる。
【００１４】
本発明の液晶表示装置は、液晶表示パネルと、該液晶表示パネルの裏面側に配された上記本発明の面状光源と、を備えていることを特徴とする。すなわち、この液晶表示装置では、すなわち、この液晶表示装置では、上記本発明の面状光源を備えているので、光源を直下に配した導光板間の輝度低下が抑制され、見栄えが良好な大面積の画像表示が得られる。
【発明の効果】
【００１５】
本発明によれば、以下の効果を奏する。
すなわち、本発明に係る面状光源によれば、互いに隣接する導光板の側端面が、主面に対して傾斜しており、導光した光を対向方向に光を出射可能であるので、側端面から対向方向に向けて光が斜めに出射され、側端面同士の隙間における輝度低下が抑制され、全体の見栄えが改善される。
したがって、大型成型機や金型加工が不要で、簡単かつ低コストに作製可能な小型サイズの導光板を複数設置することで、大型サイズを実現できると共に、隣接する導光板端部の輝度低下を抑制し、見栄えの良好な面状光源を得ることができる。また、この面状光源を備えた液晶表示装置によれば、見栄えの良好な大面積の画像表示を得ることができる。
【発明を実施するための最良の形態】
【００１６】
以下、本発明に係る面状光源及び液晶表示装置の第１実施形態を、図１から図３に基づいて説明する。なお、以下の説明に用いる各図面では、各部材を認識可能な大きさとするために縮尺を適宜変更している。
【００１７】
本実施形態における面状光源１は、液晶表示装置のバックライトユニットであって、図１から図３に示すように、光軸２ａを直上方向に向けたＬＥＤ光源（光源）２と、該ＬＥＤ光源２を中央部の直下に配しＬＥＤ光源２から入射され導光した光を光路変換して上面である主面３ａ側から面状に出射する導光板３と、を備えた複数のライトユニット４が、互いに導光板３を隣接状態にして複数列並べられて構成されている。
【００１８】
上記導光板３は、上面視で正方形状とされていると共に複数の縦列及び横列からなるマトリクス状に配置されている。本実施形態では、長辺方向を横列とすると共に短辺方向を縦列とし、縦８列及び横４列にライトユニット４が並べられている。なお、大型サイズのバックライトで主流の縦横比である１６：９となるように、導光板３の形状及び設置枚数を決定しても構わない。
【００１９】
互いに隣接する導光板３の４つの側端面３ｂは、いずれも主面３ａに対して傾斜しており、導光した光を対向方向に光を出射可能とされている。すなわち、本実施形態では、導光板３の４つの側端面３ｂは、いずれも主面３ａ側に向けられて傾斜しており、主面３ａ側に向けて斜め上方に光を出射可能とされている。なお、これら側端面３ｂの主面３ａに対する傾斜角度は、内部を導光される光を効率的に外部に出射させるように、隣接する側端面３ｂ間の輝度に応じて決定される。例えば、側端面３ｂの傾斜角度は、４５°などに設定される。
また、導光板３の主面３ａであってＬＥＤ光源２の直上に、該ＬＥＤ光源２の光軸２ａに向かって漸次深く形成されて表面が傾斜面となった反射用凹部３ｃが形成されている。すなわち、この反射用凹部３ｃは、横断面形状が円形であり、すり鉢状又は略逆円錐状とされ、その表面の傾斜面が二次曲面とされている。また、反射用凹部３ｃに、印刷等により、反射や散乱、又は出射させ易くする凹凸を設けても構わない。
【００２０】
さらに、導光板３の下面には、ＬＥＤ光源２の直上を除いて、内部を導光する光を主面３ａ側に反射、屈折又は拡散させる微細光学形状部３ｄが形成されている。この微細光学形状部３ｄとしては、複数の溝部や突条部等で構成されるプリズム形状部やドット印刷等で形成された多数のドット形状部等が採用可能である。
【００２１】
上記導光板３は、例えば透明なポリカーボネイト樹脂やアクリル樹脂等で形成されている。
また、上記導光板３は、例えばベゼル（図示略）に固定された状態でリジッド基板５の上方に所定距離を空けて設置される。また、導光板３の下面にピンを設け、このピンをリジッド基板５に設けた穴に差し込むことにより、導光板３を固定しても構わない。
これら隣接する導光板３は、組み付け誤差、側端面３ｂ近傍の輝度及び見栄え等に応じて互いに数ｍｍの距離だけ離間させて配列される。
各ＬＥＤ光源２は、リジッド基板５上に設置され、フレキシブルプリント基板（図示略）に接続されている。
【００２２】
上記ＬＥＤ光源２は、垂直方向上方に光軸２ａが設定され上方に光出射面を向けて設置された白色ＬＥＤである。この白色ＬＥＤは、例えば基板上の半導体発光素子を樹脂材で封止したものであり、半導体発光素子として、例えば青色（波長λ：４７０〜４９０ｎｍ）ＬＥＤ素子又は紫外光（波長λ：４７０ｎｍ未満）ＬＥＤ素子であって、例えばサファイア基板などの絶縁性基板上に窒化ガリウム系化合物半導体（例えばＩｎＧａＮ系化合物半導体）の複数の半導体層が積層されて形成されたものである。
【００２３】
また、この半導体発光素子を封止する樹脂材は、シリコーン樹脂を主剤とし、例えばＹＡＧ蛍光体が添加されている。このＹＡＧ蛍光体は、半導体発光素子からの青色光又は紫外光を黄色光に変換させて混色効果により白色光を生じさせるものである。なお、ＬＥＤ光源２は、先端面からのみ光が出射されるように先端面以外の樹脂材側面には、反射枠が形成されている。また、白色ＬＥＤとしては、上記以外でも種々のものが採用可能である。
【００２４】
また、本実施形態の液晶表示装置１０は、例えば大型液晶テレビジョン装置等の液晶ディスプレイに適用される表示装置であって、図３に示すように、液晶表示パネル１１と、液晶表示パネル１１の裏面側に配された上記面状光源１と、を備えている。
【００２５】
すなわち、この液晶表示装置１０は、上記複数のライトユニット４からなる面状光源１と、並べられた複数の導光板３上に配され導光板３からの光を拡散させて面内の光強度を均一にする拡散板１２Ａと、該拡散板１２Ａ上に配された拡散シート１２Ｂと、拡散シート１２Ｂ上に配され拡散シート１２Ｂからの光を液晶表示パネル１１に向けた上方向への照射光として出射するプリズムシート１３と、該プリズムシート１３上に配された上記液晶表示パネル１１と、導光板３の下方に配された反射シート１４と、を備えている。
なお、本実施形態では、液晶表示パネル１１の画面側及び面状光源１の光出射面（主面３ａ）側を表面側又は上面側として記載している。
【００２６】
上記拡散板１２Ａ及び拡散シート１２Ｂは、例えば、アクリル樹脂やポリカーボネイト樹脂などの透明樹脂にシリカ粒子などを分散させた板及びシートである。
上記プリズムシート１３は、拡散シート１２Ｂからの光を上面側に集光するための透明シート状の部材であり、平行な複数の稜線を有するプリズム部を上面側に有している。
【００２７】
上記反射シート１４は、光反射機能を有する金属板、フィルム、箔等であって、本実施形態では銀蒸着膜を設けたフィルムが採用されている。なお、上記銀蒸着膜の代わりに、アルミ金属蒸着膜などを採用しても構わない。なお、反射シート１４は、白色シートでも構わない。この反射シート１４は、両面テープ（図示略）によって、ＬＥＤ光源２の載置部分以外でベゼル又はリジッド基板５上に貼られている。
【００２８】
上記液晶表示パネル１１は、透過型又は半透過型の液晶表示パネルが採用される。例えば、透過型の液晶表示パネル１１の場合、透明電極、配向膜及び偏光板をそれぞれ有する上基板と下基板との間隙に液晶材料をシール材で封止したＴＦＴ液晶方式、ＳＴＮ液晶方式やＴＮ液晶方式等のパネル本体を備えたものである。
【００２９】
このように実施形態の面状光源１は、互いに隣接する導光板３の側端面３ｂが、主面３ａに対して傾斜しており、導光した光を対向方向（主面３ａ側）に光を出射可能であるので、側端面３ｂから対向方向に向けて光が斜めに出射され、側端面３ｂ同士の隙間における輝度が向上する。したがって、隣接する側端面３ｂ近傍の輝度が補正されて輝度低下が抑制され、全体の見栄えが改善される。また、導光板３間の輝度が向上するので、導光板３同士の間隔を従来よりも広く設定することができ、固定方法、組み付け誤差、材厚、熱膨張等を考慮した余裕のある設計が可能になる。
【００３０】
また、導光板３の主面３ａであってＬＥＤ光源２の直上に、ＬＥＤ光源２の光軸２ａに向かって漸次深く形成されて表面が傾斜面となった反射用凹部３ｃが形成されているので、ＬＥＤ光源２から直上に出射されて導光板３内に入射された光が直上の反射用凹部３ｃの傾斜面で反射されて光路が側端面３ｂ側に向けて変更される。したがって、導光板３直下から入射された光を反射用凹部３ｃで周囲に反射することで、光を周囲に広げて導光板３内を導光させ、ＬＥＤ光源２直上のいわゆるホットスポットの発生を抑制すると共に、輝度均一性を向上させることができる。
【００３１】
さらに、導光板３の下面に、内部を導光される光を主面３ａ側に反射、屈折又は拡散させる微細光学形状部３ｄが形成されているので、微細光学形状部３ｄにより下面側から外部への光の出射を抑制すると共に内部を導波される光を効率的に主面３ａ側に導いて、全体の輝度を向上させることができる。
【００３２】
また、導光板３が、正方形状とされていると共に複数の縦列及び横列からなるマトリクス状に配置されているので、導光板３別にＬＥＤ光源２を部分駆動する部分輝度コントロールによって、いわゆるローカルディミングを容易に具現させることができる。例えば、ローカルディミングとして、液晶表示パネル１１に表示される画像の輝度やコントラスト等に応じて、バックライトの輝度を制御し、液晶表示パネル１１に入力される画像データに基づいてバックライトの輝度を導光板３毎に場所的及び時間的に制御して明るさを調整することで、消費電力の低減及びコントラストや動画追従性等を向上させることが可能になる。
【００３３】
したがって、この面状光源１をバックライトユニットとして採用した液晶表示装置１０では、導光板３間の輝度低下が抑制され、見栄えが良好な大面積の画像表示が得られる。
【００３４】
次に、本発明に係る面状光源及び液晶表示装置の第２から第５実施形態について、図４から図８を参照して以下に説明する。なお、以下の各実施形態の説明において、上記実施形態において説明した同一の構成要素には同一の符号を付し、その説明は省略する。
【００３５】
第２実施形態と第１実施形態との異なる点は、第１実施形態では、導光板３が、上面視で正方形状であるのに対し、第２実施形態の面状光源２１では、図４及び図５に示すように、ライトユニット２４の導光板２３が、上面視で正六角形状である点である。すなわち、第２実施形態の導光板２３は、側端面２３ｂが６面あり、互いに隣接する導光板２３が、互いの側端面２３ｂ同士を対向させて蜂の巣状に配列されている。
【００３６】
したがって、第２実施形態の面状光源２１でも、第１実施形態と同様に、互いに隣接する導光板２３の６つの側端面２３ｂが、主面２３ａ側に向けられて傾斜しているので、側端面２３ｂから主面２３ａ側外部に光が出射され易くなり、側端面２３ｂ同士の隙間における輝度が向上する。
【００３７】
第３実施形態と第１実施形態との異なる点は、第１実施形態では、ＬＥＤ光源２が導光板３の平面である下面中央部の直下に配置されているのに対し、第３実施形態の面状光源３１では、図６に示すように、導光板３３の下面中央部に、ＬＥＤ光源２を収納する収納用凹部３３ｅが形成され、ＬＥＤ光源２が、収納用凹部３３ｅ内に設置されている点である。すなわち、第３実施形態では、導光板３３の中央部下面にＬＥＤ光源２の外形に対応してＬＥＤ光源２が収納可能な形状に収納用凹部３３ｅが形成されている。また、導光板３３が、反射シート１４上に直接載置されている点でも、第１実施形態と異なっている。
【００３８】
したがって、第３実施形態の面状光源３１では、導光板３３の下面に形成された収納用凹部３３ｅ内にＬＥＤ光源２が設置されているので、少なくともＬＥＤ光源２の高さ分だけ全体の厚さを薄くすることが可能になると共に、導光板３３を下部の反射シート１４等に直接実装することが可能になる。また、ＬＥＤ光源２の直上方向だけでなく、光軸２ａに直交する方向などの周囲に出射される光も効率的に収納用凹部３３ｅから導光板３３内に入射可能になり、輝度の向上を図ることができる。
なお、収納用凹部３３ｅの内面形状を、ＬＥＤ光源２から入射される光が直上方向から側端面３ｂ側へ光路変更可能な傾斜面又は曲面としても構わない。
【００３９】
第４実施形態と第１実施形態との異なる点は、第１実施形態では、互いに隣接する導光板３の４つの側端面３ｂは、いずれも主面３ａ側に向けられて傾斜しているのに対し、第４実施形態の導光板４３では、図７に示すように、４つの側端面４３ｂは、いずれも主面３ａと反対側の下面側に向けられて傾斜している点である。
【００４０】
すなわち、第４実施形態の面状光源４１では、隣接する導光板４３の側端面４３ｂが、それぞれ主面３ａと反対側の反射シート１４に向けて配されている。
したがって、第４実施形態では、隣接する導光板４３の側端面４３ｂが、それぞれ主面３ａと反対側に向けられ、導光板４３の主面３ａと反対側に反射シート１４が設けられているので、導光板４３の側端面４３ｂから斜め下方に向けて出射された光が反射シート１４により主面３ａ側に反射されることで、隣接する側端面４３ｂ間における輝度を高めることが可能になる。
【００４１】
第５実施形態と第４実施形態との異なる点は、第４実施形態では、側端面４３ｂが主面３ａと反対側の反射シート１４に向けて配されている同じ導光板４３が配列されているのに対し、第５実施形態の面状光源５１では、図８に示すように、第１実施形態のライトユニット４における導光板３と第４実施形態における導光板４３とが交互に隣接して配列されている点である。
【００４２】
すなわち、第５実施形態の面状光源５１では、互いに隣接する導光板３の側端面３ｂと導光板４３の側端面４３ｂとにおいて、導光板３の側端面３ｂが主面３ａ側に向けられていると共に、導光板４３の側端面４３ｂが主面３ａの反対側に向けられて導光板３の側端面３ｂに対してその上方に配されている。したがって、隣接する導光板３の側端面３ｂと導光板４３の側端面４３ｂとが互いに平行な傾斜面になって対向状態とされている。
【００４３】
このように第５実施形態の面状光源５１では、導光板３の側端面３ｂが、主面３ａ側に向けられていると共に、導光板４３の側端面４３ｂが、主面３ａと反対側に向けられて導光板３の側端面３ｂに対してその上方に配されているので、主面３ａ側から見た平面視で導光板３の側端面３ｂと導光板４３の側端面４３ｂとが重なった状態となり、両方の側端面３ｂ，４３ｂから出射される光も重なって側端面３ｂ，４３ｂ間の輝度を向上させることができる。
【００４４】
なお、本発明は上記各実施形態に限定されるものではなく、本発明の趣旨を逸脱しない範囲において種々の変更を加えることができる。
【００４５】
例えば、上記各実施形態では、上面視で正方形状又は正六角形状の導光板を用いているが、長方形状や三角形状等の他の形状に形成された導光板を用いても構わない。
また、ＬＥＤ光源を各導光板の下面中央部の直下にそれぞれ一つ設置しているが、複数のＬＥＤ光源を各導光板の下面直下に設置しても構わない。
さらに、導光板の下面にプリズム形状等の微細光学形状部を形成しているが、導光板の上面にも、内部を導光する光を屈折等させて上方に向けて光路変更して出射させる微細光学形状部を形成しても構わない。例えば、導光板上面に、微細光学形状部として、複数の微細かまぼこ形凸レンズで構成されるレンチキュラーレンズ形状部を形成しても構わない。
【００４６】
また、ＬＥＤ光源としてＲＧＢ−ＬＥＤを用いて、あらゆる色の光を出射させることも可能である。例えば、ＲＧＢ−ＬＥＤとして、一つのパッケージに赤色ＬＥＤ素子（Ｒ）、緑色ＬＥＤ素子（Ｇ）及び青色ＬＥＤ素子（Ｂ）を実装したＬＥＤを光源とする場合や、一つの導光板に互いに発光色の異なるＬＥＤ光源をそれぞれ配置しても構わない。これらの場合、各ＬＥＤにおいて印加電流を制御することで、面状光源全体又はライトユニット毎に、様々な色の光で照明することが可能になる。
なお、光源としてＬＥＤ光源を採用したが、蛍光管等の他の光源を採用しても構わない。
【００４７】
また、上記各実施形態のバックライトユニットでは、拡散板及び拡散シートを各１枚用いているが、いずれか一方を省略したり、少なくとも一方を複数枚使用したバックライトユニットとしても構わない。さらに、拡散板又は拡散シートを、プリズムシートと液晶表示パネルとの間に配置したバックライトユニットとしても構わない。すなわち、これら拡散板及び拡散シートは、輝度ムラ調整のため、その枚数やヘイズを考慮して適宜、設置位置及び枚数等が設定される。
【００４８】
また、１枚のプリズムシートを用いているが、２枚のプリズムシートを採用したバックライトユニットとしても構わない。
なお、上記各実施形態では、液晶表示パネルの大きさに対応した大きさの拡散板、拡散シート及びプリズムシートを採用しているが、これらを導光板のように複数に分割したものを並べて配置する構成を採用しても構わない。
【図面の簡単な説明】
【００４９】
【図１】本発明に係る面状光源及び液晶表示装置の第１実施形態において、面状光源を示す平面図である。
【図２】第１実施形態において、導光板を示す平面図及び側面図である。
【図３】第１実施形態において、ベゼルを除く液晶表示装置を示す要部の拡大縦断面図である。
【図４】本発明に係る面状光源及び液晶表示装置の第２実施形態において、面状光源を示す平面図である。
【図５】第２実施形態において、導光板を示す平面図及び側面図である。
【図６】本発明に係る面状光源及び液晶表示装置の第３実施形態において、ベゼルを除く液晶表示装置を示す要部の拡大縦断面図である。
【図７】本発明に係る面状光源及び液晶表示装置の第４実施形態において、ベゼルを除く液晶表示装置を示す要部の拡大縦断面図である。
【図８】本発明に係る面状光源及び液晶表示装置の第５実施形態において、ベゼルを除く液晶表示装置を示す要部の拡大縦断面図である。
【符号の説明】
【００５０】
１，２１，３１，４１，５１…面状光源、２…ＬＥＤ光源（光源）、２ａ…ＬＥＤ光源の光軸、３，２３，３３，４３…導光板、３ａ，２３ａ…導光板の主面、３ｂ，２３ｂ，４３ｂ…導光板の側端面、３ｃ…反射用凹部、３ｄ…微細光学形状部、４…ライトユニット、１０…液晶表示装置、１１…液晶表示パネル、１２Ａ…拡散板、１２Ｂ…拡散シート、１３…プリズムシート、１４…反射シート、３３ｅ…収納用凹部
【図１】
2010102905.tif 000003
【図２】
2010102905.tif 000004
【図３】
2010102905.tif 000005
【図４】
2010102905.tif 000006
【図５】
2010102905.tif 000007
【図６】
2010102905.tif 000008
【図７】
2010102905.tif 000009
【図８】
2010102905.tif 000010